(57)【要約】【課題】便器洗浄用の便器洗浄機構が衛生洗浄機構と同一のケーシング内に構成される一体形の衛生洗浄装置において、衛生洗浄機構が故障した際に、衛生洗浄機構の給水部に止水栓を設ける必要もなく、簡単な構成で、衛生洗浄機構のみを止水可能な衛生洗浄装置を提供する事を目的とする。【解決手段】ケーシングと、前記ケーシング内部に設置され、便器を洗浄するための便器洗浄機構と、前記ケーシング内部に設置され、使用者の局部を洗浄する衛生洗浄機構と、前記ケーシング内部に上水道管から給水された水を、前記便器洗浄機構側と前記衛生洗浄機構側へ分岐する分岐機構と、を備えた衛生洗浄装置であって、前記分岐機構と前記衛生洗浄機構とをつなぐ連結部材が、逆止構造を備える衛生洗浄装置。【選択図】図５
2013136909.tif 000002
【特許請求の範囲】
【請求項１】
ケーシングと、
前記ケーシング内部に設置され、便器を洗浄するための便器洗浄機構と、
前記ケーシング内部に設置され、使用者の局部を洗浄する衛生洗浄機構と、
前記ケーシング内部に上水道管から給水された水を、前記便器洗浄機構側と前記衛生洗浄機構側へ分岐する分岐機構と、を備えた衛生洗浄装置であって、
前記分岐機構と前記衛生洗浄機構とをつなぐ連結部材が、逆止構造を備えることを特徴とする、衛生洗浄装置。
【請求項２】
ケーシングと、
前記ケーシング内部に設置されている便器を洗浄するための便器洗浄機構と、
前記ケーシング内部に設置されている使用者の局部を洗浄する衛生洗浄機構と、
前記ケーシング内部に上水道管から給水された水を、前記便器洗浄機構側と前記衛生洗浄機構側へ分岐する分岐機構と、を備えた衛生洗浄装置であって、
前記分岐機構と前記衛生洗浄機構とをつなぐ連結部材を備え、
少なくとも前記衛生洗浄機構、前記ケーシング、前記便器洗浄機構のいずれか一つに、前記連結部材の衛生洗浄機構と連結する衛生洗浄連結部と、勘合可能な勘合部を備え、
前記衛生洗浄連結部と勘合部とを勘合させることで、前記衛生洗浄機構への給水を止めることが可能な事を特徴とする衛生洗浄装置。
【請求項３】
請求項２の衛生洗浄装置において、
前記連結部材は、フレキシブルホースである事を特徴とする衛生洗浄装置。
【発明の詳細な説明】
【技術分野】
【０００１】
本発明は、使用者の「おしり」などを水で洗浄可能とした衛生洗浄装置の止水構造に関する。
【背景技術】
【０００２】
洋式便器本体の上部に設置され、吐出される水によって人体を洗浄する洗浄ノズルを備えた衛生洗浄機構において、特許文献１のように、便器洗浄用の便器洗浄機構が衛生洗浄機構と同一のケーシング内に構成される一体形タイプの衛生洗浄装置が知られている。
【０００３】
特許文献１のような一体形タイプでは、便器洗浄機構と衛生洗浄装置の給水機構への水を分岐させる分岐機構がケーシング内に構成されていることが通常である。
【０００４】
この一体形タイプの場合、衛生洗浄機構が故障した時に、衛生洗浄機構の給水部への水の給水を止めようとすると、便器洗浄機構も止水してしまう構成となっている。そのため、便器洗浄ができなくなってしまうという問題がある。この問題を解決手段として、衛生洗浄機構の給水部に、衛生洗浄機構のみを止水するための止水栓を設ける手段が知られているが、衛生洗浄機構の給水部に、止水栓の構成を追加する構成となってしまうため、コストが大幅にかかるといった問題に加えて、給水部が大型化してしまい、衛生洗浄機構、更には、衛生洗浄装置自体もまた大型化してしまうといった問題がある。
【先行技術文献】
【特許文献】
【０００５】
【特許文献１】特開平９−９５９９０号公報
【発明の概要】
【発明が解決しようとする課題】
【０００６】
本発明は、便器洗浄用の便器洗浄機構が衛生洗浄機構と同一のケーシング内に構成される一体形の衛生洗浄装置において、衛生洗浄機構が故障した際に、衛生洗浄機構の給水部に止水栓を設ける必要もなく、簡単な構成で、衛生洗浄機構のみを止水可能な衛生洗浄装置を提供する事を目的とする。
【課題を解決するための手段】
【０００７】
第１の発明の衛生洗浄装置は、ケーシングと、前記ケーシング内部に設置され、便器を洗浄するための便器洗浄機構と、前記ケーシング内部に設置され、使用者の局部を洗浄する衛生洗浄機構と、前記ケーシング内部に上水道管から給水された水を、前記便器洗浄機構側と前記衛生洗浄機構側へ分岐する分岐機構と、を備えた衛生洗浄装置であって、前記分岐機構と前記衛生洗浄機構とをつなぐ連結部材が、逆止構造を備えることが特徴である。
【０００８】
この第1の構成によれば、衛生洗浄機構に故障などが発生し、衛生洗浄機構のみ上水道管からの給水を止めたい場合には、逆止構造を備えた連結部材を反転させて、分岐機構と衛生洗浄機構に取り付けるだけで、容易に衛生洗浄機構のみを止水することができる。そのため、衛生洗浄機構の給水部に止水栓を設ける必要もなく、通常、給水管として機能している連結部材だけの簡単な構造で、衛生洗浄機構のみを止水可能な衛生洗浄装置を提供することができる。
【０００９】
第２の衛生洗浄装置は、ケーシングと、前記ケーシング内部に設置されている便器を洗浄するための便器洗浄機構と、前記ケーシング内部に設置されている使用者の局部を洗浄する衛生洗浄機構と、前記ケーシング内部に上水道管から給水された水を、前記便器洗浄機構側と前記衛生洗浄機構側へ分岐する分岐機構と、を備えた衛生洗浄装置であって、前記分岐機構と前記衛生洗浄機構とをつなぐ連結部材を備え、少なくとも前記衛生洗浄機構、前記ケーシング、前記便器洗浄機構のいずれか一つに、前記連結部材の衛生洗浄機構と連結する衛生洗浄連結部と、勘合可能な勘合部を備え、前記衛生洗浄連結部と勘合部とを勘合させることで、前記衛生洗浄機構への給水を止めることが可能な事を特徴とする。
【００１０】
この第２の構成によれば、衛生洗浄機構の故障が起こった際には、連結部材の衛生洗浄連結部を衛生洗浄機構から外し、勘合部へ勘合することで、衛生洗浄機構のみを止水することが可能である。そのため、衛生洗浄機構の給水部に止水栓を設ける必要もなく、通常、給水管として機能している連結部材だけの簡単な構造で、衛生洗浄機構のみを止水可能な衛生洗浄装置を提供することができる。
【００１１】
第３の衛生洗浄装置は、前記連結部材は、フレキシブルホースである事を特徴とする。
【００１２】
第３の構成によれば、連結部材が、フレキシブルホースであるので、衛生洗浄機構へのみ給水を止めたい場合に、簡単に、連結部材を衛生洗浄機構から外し、勘合部へ勘合させる事できるので、作業者も作業効率も上がる。
【発明の効果】
【００１３】
本発明は、便器洗浄用の便器洗浄機構が衛生洗浄機構と同一のケーシング内に構成される一体形の衛生洗浄装置において、衛生洗浄機構が故障した際に、衛生洗浄機構の給水部に止水栓を設ける必要もなく、簡単な構成で、衛生洗浄機構のみを止水可能な衛生洗浄装置を提供できる。
【図面の簡単な説明】
【００１４】
【図１】本実施形態に係る衛生洗浄装置の斜視図である。
【図２】本実施形態に係る衛生洗浄層の内部構造を示す図である。
【図３】本実施形態に係る分岐機構、連結部材を示す斜視図である。
【図４】本実施形態に係る連絡部材３の通常使用状態を示す内部断面図である。
【図５】本実施形態に係る連絡部材３を反転させて、分岐機構と衛生洗浄機構に取り付けた状態を示す内部断面図である。
【図６】本実施形態に係る連絡部材３の別の実施形態を示す図である。
【発明を実施するための形態】
【００１５】
以下、図面を参照しつつ本発明の実施の形態について説明する。
【００１６】
図１は、本実施形態にかかる衛生洗浄装置の斜視図、図２は、本実施形態にかかわる衛生洗浄装置の内部構造図である。なお、各図面中、同様の構成要素には同一の符号を付して詳細な説明は適宜省略する。
【００１７】
図１に表した衛生洗浄装置１００は、プレート８（図２参照）に載置されて、プレート８を介して図示しない洋式腰掛便器に設置固定される。本実施形態の衛生洗浄装置１００は、衛生洗浄装置１００の外観を形成するケーシング３００を備えている。また、本実施形態の衛生洗浄装置１００は、ケーシング３００の上部に手洗い機４００を備えている。
【００１８】
次に、本実施形態に係る衛生洗浄装置の内部構造について、図２にて説明する。図２に示すようにように、ケーシング３００の内部には、図示しない便座に座った使用者の「おしり」などに向けて水を噴出する吐水ノズル６、衛生洗浄装置１００に供給される洗浄水を温める熱交換器５、吐水ノズル６の吐水制御や、熱交換器５の加熱温度の制御などを行う制御部７、図示しない便座に座った使用者の「おしり」などに向けて温風を吹き付けて乾燥させる温風乾燥機能部１０を含む衛生洗浄機構４が配置されている。なお、衛生洗浄機構４は、使用者の局部を洗浄する機構を少なくとも備えておればよく、脱臭ユニット部や室内暖房機能部などの各種の機構を備えていても何ら問題はない。衛生洗浄機構４は、これら付加機能のすべてを備える必要は必ずしもなく、これらのいずれかひとつあるいは複数のみを備えたものも本発明の範囲に包含される。
【００１９】
一方、図２に示すように、ケーシング３００の内部には、図示しない便器を洗浄するための便器洗浄機構２００が配置されている。本実施形態では、便器を洗浄する洗浄水が貯水される貯水タンク４００が、ケーシング３００の内部に配置されている。貯水タンク４００は、図示しない電磁弁により貯水タンク４００内の洗浄水を便器に流し、また、上水道管から給水された洗浄水が供給されるものである。この電磁弁と貯水タンク４００とが、便器洗浄機構２００として機能している。
【００２０】
便器洗浄機構２００としては、本実施形態のように貯水タンクを用いたタイプに限定されるものではなく、上水道管から電磁弁を介して、直接便器に洗浄水を流す直圧タイプでもよい。
【００２１】
また、本実施形態の衛生洗浄機構４と便器洗浄機構２００とも、プレート８を介して、図示しない便器に設置固定されている。なお、本実施形態のように、プレート８が、衛生洗浄機構４と、便器洗浄機構２００との設置範囲に応じて、分割形式になっていれば、衛生洗浄機構４、便器洗浄機構２００のどちらかに故障が発生し、プレート８から取り外して故障確認を行う必要が生じた際には、どちらか一方だけ便器から取り外す事が可能となる。そのため、一方が故障した時に、衛生洗浄機構４、便器洗浄機構２００とも使用を中止する必要がなくなる。
【００２２】
次に、図３により、本実施形態に係る分岐機構、連結部材について、説明する。図３は、本実施形態に係る分岐機構、連結部材を示す斜視図である。
【００２３】
衛生洗浄装置１００は、図示しない上水道管からフレキホースを通じて供給された水をケーシング３００内部に取り込んでいる構造となっている。フレキホースを通じて供給された水は、図３に示す分岐機構１で、衛生洗浄機構４側と便器洗浄機構２００側に分岐される構造となっている。衛生洗浄機構４に供給された水は、それぞれ使用者の「おしり」などに向けて噴出する洗浄水として使用され、便器洗浄機構２００に供給された便器洗浄の洗浄水として使用される。分岐機構１としては、一つの流路が２つの流路に分岐される構造であればよく、本実施形態においては、一般的に使用される分岐管を使用している。
【００２４】
分岐機構１としては、一つの流路が２つの流路に分岐される構造であればよく、本実施形態においては、一般的に使用される分岐管を使用している。本実施形態では、分岐機構１と衛生洗浄機構４の間には、図示しない電磁弁が配置されており、衛生洗浄機構４への水の供給は、電磁弁によって行われる。また、分岐機構１と便器洗浄機構２００の間にも同様に、図示しない電磁弁が配置されており、便器洗浄機構２００への水の給水は、電磁弁によって行われる。
【００２５】
図３に示すように、分岐機構１と衛生洗浄機構４は、連結部材３によりつながっており、連結部材３を介して、分岐機構１から衛生洗浄機構４に、分岐機構１に供給された水が供給される。
【００２６】
本実施形態では、連結部材３が、逆止構造を備えており、この逆止構造により、衛生洗浄機構４に故障などが発生し、衛生洗浄機構４のみ上水道管からの給水を止めたい場合に、逆止構造を備えた連結部材３を反転させて、分岐機構と衛生洗浄機構に取り付けるだけで、容易に衛生洗浄機構のみを止水することができるものである。
【００２７】
次に、本実施形態に係る連絡部材３の逆止構造について、図４、図５により説明する。図４は、本実施形態に係る連絡部材３の通常使用状態を示す内部断面図である。図５は、本実施形態に係る連絡部材３を反転させて、分岐機構と衛生洗浄機構に取り付けた状態を示す内部断面図である。
【００２８】
図４に示すように、連結部材３の内部には、逆止弁３１が配置されている。通常使用状態では、連絡部材３の内部に流れる水（図４での矢印）は、逆止弁３１によって、水の流れが寸断されることなく、衛生洗浄機構４に給水されるようになっている。
【００２９】
一方、図５に示すように、連結部材３を反転させて、分岐機構１と衛生洗浄機構４に取り付けた場合では、逆止弁が、連絡部材３に流れる水の水圧を受けて、連絡部材３の内部の流路を寸断する。そのため、衛生洗浄機構４に故障などが発生し、衛生洗浄機構４のみ上水道管からの給水を止めたい場合には、逆止構造を備えた連結部材３を反転させて、分岐機構１と衛生洗浄機構４に取り付けるだけで、容易に衛生洗浄機構４のみを止水することができる。衛生洗浄機構４の給水部に止水栓を設ける必要もなく、通常、給水管として機能している連結部材３だけの簡単な構造で、衛生洗浄機構４のみを止水できる。
【００３０】
次に、本実施形態に係る連結部材３についての別の実施形態を、図６により説明する。図６は、本実施形態に係る連絡部材３の別の実施形態を示す図である。
【００３１】
本実施形態の連結部材３は、可撓性を有するフレキシブルホースからなっている。衛生洗浄装置の通常状態では、連結部材３は、図６で示す連結部材３の衛生洗浄連結部９が衛生洗浄機構４と連結することで、構造分岐機構１と衛生洗浄機構４をつないでいる。
【００３２】
本実施形態では、図６に示すように、ケーシング３００に、突出した形状で、内部に空洞部を有する勘合部１０が形成されている。この勘合部１０の内部の空洞部に、連結部材３を挿入し、クイックファスナー２０によって、連結部材３を固定する事で、連結部材３の衛生洗浄連結部９が、ケーシング３００の勘合部１０に勘合される。
【００３３】
そのため、図６に示すように、衛生洗浄機構４に故障が起こった際に、連結部材３の衛生洗浄連結部９を衛生洗浄機構４から外し、勘合部１０へ勘合させることで、連結部材３を流れる水は、衛生洗浄機構４には流れずに、勘合部４でせき止めされる。そのため、衛生洗浄機構４の給水部に止水栓を設ける必要もなく、通常、給水管として機能している連結部材３だけの簡単な構造で、衛生洗浄機構４のみを止水可能な衛生洗浄装置を提供することができる。
【００３４】
なお、本実施形態では、勘合部１０をケーシング３００に設けた構成としたが、勘合部１０は、連結部材に流れる水をせき止めすることができれ、衛生洗浄機構４や便器洗浄機構４に設けても、何ら問題はない。また、勘合部１０の構成についても、連結部材が勘合可能で、連結部材に流れる水をせき止めすることができれば、本実施形態に限定されるものではない。
【００３５】
また、前述した各実施形態が備える各要素は、技術的に可能な限りにおいて組み合わせることができ、これらを組み合わせたものも本発明の特徴を含む限り本発明の範囲に包含される。
【符号の説明】
【００３６】
１  分岐機構、３  連結部材、４  便器洗浄機構、５  熱交換器、６  ノズル、
７  制御部、８  プレート、９  衛生洗浄連結部、１０  勘合部、２０  クイックファスナー、３１  逆止弁、１００  衛生洗浄装置、２００  便器洗浄機構、３００  ケーシング、４００  手洗い器
【図１】
2013136909.tif 000003
【図２】
2013136909.tif 000004
【図３】
2013136909.tif 000005
【図４】
2013136909.tif 000006
【図５】
2013136909.tif 000007
【図６】
2013136909.tif 000008